【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
人体頭部を覆って装着可能な略半球形状を有する頭部冷却用具であって、
頭部に装着された時に、該頭部に接触するシート状内面部材と、外表面側に位置するシート状表面部材と、収納部と、前記収納部の中に脱収納自在に収納された冷却性能を有する冷却媒体と、を備え、
前記収納部は、前記シート状内面部材と前記シート状表面部材とにより形成されるとともに、平面方向に複数個に分割された複数個の収納部を有し、
前記冷却媒体は前記複数個の収納部のうちの所望の収納部に収納及び取出し可能に収納され、
人体頭部に装着された時に該頭部の所望の領域を冷却可能に構成されたことを特徴とする頭部冷却用具。
【請求項２】
前記複数個の収納部は、互いに隣り合って形成されるとともに、人体頭部の全体を覆って装着可能な略半球形状になるように、一体に形成されてなることを特徴とする請求項１に記載の頭部冷却用具。
【請求項３】
前記複数個の収納部は、
（Ａ）人体の額部から頭頂部を経て後頭部までを連続して覆う中央収納部と、
（Ｂ）人体の左側頭部を覆う左側頭収納部と、
（Ｃ）人体の右側頭部を覆う右側頭収納部と、からなる複数個の収納部を備える、
又は、
（Ａ）人体の額部から頭頂部を経て後頭部までを連続して覆う前記中央収納部と、
ここで、前記中央収納部は額収納部と頭頂収納部と後頭収納部とを有する、
（Ｂ）人体の左側頭部を覆う前記左側頭収納部と、
（Ｃ）人体の右側頭部を覆う前記右側頭収納部と、からなる複数個の収納部を備える、
又は、
（Ａ）人体の額部から頭頂部を経て後頭部までを連続して覆う中央収納部と、
ここで、前記中央収納部は前記額部から前記後頭部に至る方向に分割された複数個の中央収納部を有する、
（Ｂ）人体の左側頭部を覆う左側頭収納部と、
ここで、前記左側頭収納部は左前側頭部から左後頭部に至る方向に分割された複数個の左側頭収納部を有する、
（Ｃ）人体の右側頭部を覆う右側頭収納部と、
ここで、前記右側頭収納部は右前側頭部から右後頭部に至る方向に分割された複数個の右頭収納部を有する、
からなる複数個の収納部を備え、
これらの複数個の収納部は、互いに隣り合って形成され、一体に形成されてなることを特徴とする請求項１または２に記載の頭部冷却用具。
【請求項４】
前記シート状表面部材及び／又は前記シート状内面部材は、少なくとも、表裏方向において断熱性能を有する断熱性素材を構成し、
前記断熱性素材は、
（ｉ）柔軟性を有する綿状断熱性不織布素材と、
（ｉｉ）柔軟性を有する柔軟性発泡プラスチック素材と、
（ｉｉｉ）微細空洞孔形成繊維製素材と、
のうちの少なくとも一つの熱伝導を抑制する機能を奏する熱伝導断熱素材、
及び、
（ｉｖ）金属箔素材と、
（ｖ）金属蒸着により形成された金属薄膜素材と、
（ｖｉ）基材に金属薄膜を付着形成した基材付金属薄膜素材と、
のうちの少なくとも一つの輻射により熱を遮断する機能を奏する金属膜輻射断熱素      材、
及び、
（ｖｉｉ）綿状断熱性不織布に金属薄膜を付着形成した金属薄膜付断熱性不織布素材と、
（ｖｉｉｉ）フェルト基材又はニードルパンチ基材に金属薄膜を付着形成した金属薄膜付      断熱性不織布素材と、
（ｉｘ）柔軟性発泡プラスチックに金属薄膜を付着形成した金属薄膜付柔軟性発泡プラス      チック素材と、
のうちの少なくとも一つの熱伝導を抑制する機能と輻射により熱を遮断する機能と      の双方の機能を奏する輻射熱伝導熱断熱素材、
及び、
（ｘ）約０．３ｍｍ厚以上のフェルト材と、
（ｘｉ）約０．３ｍｍ厚以上のニードルパンチ材と、
（ｘｉｉ）約０．３ｍｍ厚以上の起毛製布材と、
（ｘｉｉｉ）約０．３ｍｍ厚以上の肉厚織布材と、
のうちの少なくとも一つの約０．３ｍｍ厚以上の保冷性布素材、
からなる群から選ばれる少なくとも一つの断熱性素材を備えることを特徴とする請求項１乃至３のいずれかに記載の頭部冷却用具。
【請求項５】
前記シート状表面部材は積層された複数種類の表面素材より構成され、
前記複数種類の表面素材は、少なくとも、
（Ａ）表面部材最表層に構成される、所望の機能を有する表面部材所望機能性素材、
（Ｂ）表面部材中間層に構成される表面部材断熱性素材、及び、
（Ｃ）表面部材最裏層に構成される、前記冷却媒体を収納した状態において破損なく使用      可能な機械的強度を有する表面部材冷却媒体保持素材、
を備え、
及び／又は、
前記シート状内面部材は積層された複数種類の内面素材より構成され、
前記複数種類の内面素材は、少なくとも、
（Ａ）内面部材最表層に構成される、所望の機能を有する内面部材所望機能性素材、
（Ｂ）内面部材中間層に構成される内面部材断熱性素材又は内面部材柔軟性素材、及び、
（Ｃ）内面部材最裏層に構成される、前記冷却媒体を収納した状態において破損なく使用可能な機械的強度を有する内面部材冷却媒体保持素材、
を備える、
ことを特徴とする請求項１乃至４のいずれかに記載の頭部冷却用具。
【請求項６】
前記シート状内面部材は、表裏方向において、前記シート状表面部材より高い通気性能を有する通気性素材を構成し、
これにより、人体頭部に装着された時に、前記収納部に収納された前記冷却媒体に起因する冷気を人体頭部側に伝わりやすくする機能を奏することを特徴とする請求項１乃至５のいずれかに記載の頭部冷却用具。
【請求項７】
前記シート状内面部材は、前記シート状表面部材と比べて、表裏方向において小さい断熱性能を有することを特徴とする請求項１乃至６のいずれかに記載の頭部冷却用具。
【請求項８】
前記シート状内面部材と前記シート状表面部材は、
（ｉ）前記シート状内面部材の側を人体頭部に接触して人体頭部に装着する、及び、
（ｉｉ）前記シート状表面部材の側を人体頭部に接触して人体頭部に装着する、
のいずれかの状態で人体頭部に装着し、その後、裏返して装着可能に構成されてなるこ  とを特徴とする請求項１乃至７のいずれかに記載の頭部冷却用具。
【請求項９】
さらに、シート状頭部保護部材を備え、
前記シート状頭部保護部材は、前記収納部を形成することなく、前記シート状内面部材の内面側に位置して、固定設置又は脱着自在に設置構成されてなり、前記収納部に収納されている前記冷却媒体の人体頭部への直接の接触を防止して前記冷却媒体に起因する冷気を抑制する機能を奏することを特徴とする請求項１乃至１０のいずれかに記載の頭部冷却用具。
【請求項１０】
前記シート状内面部材と前記シート状表面部材の双方の部材は、
（ｉ）柔軟性を有する綿状断熱性不織布素材、
（ｉｉ）柔軟性を有する柔軟性発泡プラスチック素材、
（ｖｉ）不織布に金属薄膜を付着形成した基材付金属薄膜素材、
及び、
（ｖｉｉ）綿状断熱性不織布に金属薄膜を付着形成した金属薄膜付断熱性不織布素材、
からなる群から選ばれる少なくとも１種の断熱性素材により形成されるとともに、熱により融着して接合可能な熱融着性断熱性素材から構成され、
前記シート状内面部材と前記シート状表面部材は、
（ａ）互いに同じ断熱性素材、又は、
（ｂ）互いに異なる断熱性素材、により形成され、
前記収納部は、
（イ）前記断熱性素材を有する前記シート状内面部材と、前記断熱性素材を有する前記シート状表面部材と、の熱融着により接合されて形成されてなる、又は、
（ロ）少なくとも１種の断熱性素材により構成された前記シート状内面部材と、少なくとも１種の断熱性素材により構成された前記シート状表面部材と、により形成されるとともに、加熱により融着して接合する機能を有する熱融着性接着剤を使用して接合されて形成されてなる、
ことを特徴とする請求項１乃至８のいずれかに記載の頭部冷却用具。
【請求項１１】
前記それぞれの収納部は、
（ｉ）前記シート状表面部材、又は、（ｉｉ）前記シート状内面部材、にそれぞれの収納開口部を形成し、
前記それぞれの収納開口部は、前記それぞれの冷却媒体の出し入れが可能な形状を有することを特徴とする請求項１乃至１０のいずれかに記載の頭部冷却用具。
【請求項１２】
さらに、前記収納部の下側縁に設置された装着脱落防止部材を備え、
該装着脱落防止部材は人体頭部からの脱落を防止する機能を奏することを特徴とする請求項１乃至１１いずれかに記載の頭部冷却用具。
【請求項１３】
さらに、人体頭部に装着された時に後頭部に位置する前記収納部の下側縁に取付取外自在に設置された首部収納部と、前記首部収納部の中に収納自在に収納された冷却媒体、を備え、
前記首部収納部に収納された冷却媒体は、人体首を冷却する機能を奏することを特徴とする請求項１乃至１２のいずれかに記載の頭部冷却用具。
【請求項１４】
前記冷却媒体は、（ａ）冷却と昇温の繰返し使用が可能な冷媒が密封容器に充填された密封冷却媒体、（ｂ）外部衝撃により冷却可能な冷媒が密封容器に充填された反応型密封冷却媒体、又は、（ｃ）湿布型冷却媒体で構成され、
前記密封冷却媒体は、
（ａ−ｉ）少なくとも水と水溶性高分子を含有する媒体を密封容器に収納した含水水溶          性高分子密封冷却媒体、
（ａ−ｉｉ）少なくとも多価アルコールを含有する媒体を密封容器に収納した密封冷却媒体、
（ａ−ｉｉｉ）少なくとも水と水溶性高分子と多価アルコールを含有する媒体を密封容          器に収納した密封冷却媒体、
（ａ−ｉｖ）無機質の粉末状固体を密封容器に収納した密封冷却媒体、
（ａ−ｖ）有機質又は有機高分子の粒子状固体を密封容器に収納した密封冷却媒体、及び、
（ａ−ｖｉ）冷却媒体を含有するマイクロカプセルを密封容器に収納した密封冷却媒体、からなる群から選ばれる少なくとも一つの密封冷却媒体であり、
前記湿布型冷却媒体は、
（ｃ−ｉ）小片状の氷材を袋状容器に充填した氷含有冷却材、
（ｃ−ｉｉ）低温水を布に含浸した低温水含浸布材又は水を含浸した布を低温に冷却した低温水含浸布材、
（ｃ−ｉｉｉ）水と低級アルコールを含有する水アルコール混合液を冷却した冷却媒体を布に含浸した低温水アルコール混合液含浸布材、又は、水と低級アルコールを含有する水アルコール混合液を含浸した布を低温に冷却した低温水アルコール混合液含浸布材、及び、
（ｃ−ｉｖ）水と低級アルコールを含有する水アルコール混合液を冷却した冷却混合液と小片状の氷材を袋状容器に充填した氷アルコール水含有冷却材、
からなる群から選ばれる少なくとも一つの湿布型冷却媒体である、
ことを特徴とする請求項１乃至１３のいずれかに記載の頭部冷却用具。
【請求項１５】
前記冷却媒体は、（ａ）冷却と昇温の繰返し使用が可能な冷媒が密封容器に充填された繰返型密封冷却媒体、の形態で構成され、
前記繰返型密封冷却媒体は、
（ｉ）複数個に分割されるとともに互いに連結された複数個分割連結密封冷却媒体の形        態を有し、それらの複数個分割連結密封冷却媒体は屈曲自在に連結されてなる、
及び／又は、
（ｉｉ）前記繰返型密封冷却媒体は、複数個に分割されることなく、一つの密封冷却媒        体の形態の単一密封冷却媒体の形態を有する、
の形態を備え、
前記収納部が異なる広さ面積を有する複数個に分割された収納部を構成する場合に、
（ｉ）広い面積を有する収納部に前記複数個分割連結密封冷却媒体が収納され、
（ｉｉ）狭い面積を有する収納部に前記単一密封冷却媒体が収納され、
これらの冷却媒体は前記複数個の収納部のうちの所望の収納部に収納及び取出し可能に収納され、
これにより、人体頭部に装着された時に、該頭部の形状に一致して前記複数個分割連結密封冷却媒体が屈曲した状態で装着される、
ことを特徴とする請求項１乃至１３のいずれかに記載の頭部冷却用具。